(57)【特許請求の範囲】
【請求項１】
通信インターフェースと、
前記通信インターフェースに結合された処理回路とを備えるユーザ機器であって、前記処理回路は、
伝送を、前記通信インターフェースを介して受信することであって、前記伝送は、送信ダイバーシティを使用して送信され、前記伝送は、前記伝送がそこから送信されたデバイスとのアップリンク同期およびダウンリンク同期が完了する前に受信されることをし、
前記受信された伝送に対する複数の信号対妨害比の推定値を計算することであって、各信号対妨害比の推定値は、相異なる重み係数を使用して計算されることをし、
前記複数の信号対妨害比の推定値の中から、前記受信された伝送に対して採用されるべき信号対妨害比の推定値を選択するように適合される、
ユーザ機器。
【請求項２】
前記処理回路は、
前記受信された伝送に対する前記複数の信号対妨害比の推定値を計算するように適合され、各信号対妨害比の推定値は、45度、135度、負の45度、および負の135度を備える重み係数のグループから選択された相異なる重み係数を使用して計算される、
請求項1に記載のユーザ機器。
【請求項３】
前記受信された伝送に対する前記複数の信号対妨害比の推定値を計算するように適合される前記処理回路は、
第1の信号対妨害比の推定値を45度の重み係数を使用して計算し、
第2の信号対妨害比の推定値を135度の重み係数を使用して計算し、
第3の信号対妨害比の推定値を負の45度の重み係数を使用して計算し、
第4の信号対妨害比の推定値を負の135度の重み係数を使用して計算するように適合される前記処理回路を備える、
請求項1に記載のユーザ機器。
【請求項４】
前記処理回路は、前記受信された伝送に対して採用されるべき、最大の値を有する前記信号対妨害比の推定値を選択するように適合される、請求項1に記載のユーザ機器。
【請求項５】
前記処理回路は、
前記通信インターフェースを介してフィードバック情報を、前記選択された信号対妨害比の推定値に基づいてネットワークノードに送信するようにさらに適合される、
請求項1に記載のユーザ機器。
【請求項６】
前記受信された伝送は、前記送信ダイバーシティのためのデフォルトの初期重み係数を採用する、請求項1に記載のユーザ機器。
【請求項７】
ユーザ機器上で動作可能な方法であって、
伝送がそこから送信されたデバイスとのアップリンク同期およびダウンリンク同期が完了する前に、送信ダイバーシティを使用して送信された伝送を受信するステップと、
前記受信された伝送に対する複数の信号対妨害比の推定値を計算するステップであって、各信号対妨害比の推定値は、相異なる重み係数を使用して計算されるステップと、
前記複数の信号対妨害比の推定値の中から、前記受信された伝送に対する前記信号対妨害比の推定値として採用されるべき信号対妨害比の推定値を選択するステップと
を備える方法。
【請求項８】
送信ダイバーシティを使用して送信された伝送を受信するステップは、
前記送信ダイバーシティのためのデフォルトの初期重み係数を採用する伝送を受信するステップを備える、
請求項7に記載の方法。
【請求項９】
前記受信された伝送に対する前記複数の信号対妨害比の推定値を計算するステップは、
前記受信された伝送に対する前記複数の信号対妨害比の推定値を、45度、135度、負の45度、および負の135度を備える重み係数のグループから選択された重み係数を使用して計算するステップを備える、
請求項7に記載の方法。
【請求項１０】
前記受信された伝送に対する前記複数の信号対妨害比の推定値を計算するステップは、
第1の信号対妨害比の推定値を45度の重み係数を使用して計算するステップと、
第2の信号対妨害比の推定値を135度の重み係数を使用して計算するステップと、
第3の信号対妨害比の推定値を負の45度の重み係数を使用して計算するステップと、
第4の信号対妨害比の推定値を負の135度の重み係数を使用して計算するステップとを備える、
請求項7に記載の方法。
【請求項１１】
前記複数の信号対妨害比の推定値の中から、前記受信された伝送に対する前記信号対妨害比の推定値として採用されるべき前記信号対妨害比の推定値を選択するステップは、
前記複数の信号対妨害比の推定値の中から、前記受信された伝送に対する前記信号対妨害比の推定値として採用されるべき、最大の値を有する信号対妨害比の推定値を選択するステップを備える、
請求項7に記載の方法。
【請求項１２】
フィードバック情報を、前記選択された信号対妨害比の推定値に基づいてネットワークノードに送信するステップ
をさらに備える、請求項7に記載の方法。
【発明の詳細な説明】
【技術分野】
【０００１】
米国特許法第119条の下での優先権の主張
本特許出願は、本出願の譲受人に譲渡され、参照により明白に本明細書に組み込まれる、2013年6月19日に出願した「SIR Estimate for CLTD Before DL/UL Synchronization is Achieved」と題する仮出願第61/836,824号、および2013年12月9日に出願した「DEVICES AND METHODS FOR FACILITATING SIGNAL-TO-INTERFERENCE RATIO ESTIMATES FOR CLOSED-LOOP TRANSMISSION DIVERSITY COMMUNICATIONS」と題する非仮出願第14/100,875号の優先権を主張するものである。
【０００２】
以下に説明される技術は、一般に、ワイヤレス通信に関し、より詳細には、閉ループ送信ダイバーシティ通信において、信号対妨害比推定を容易にするための方法およびデバイスに関する。
【背景技術】
【０００３】
ワイヤレス通信ネットワークは、電話通信、動画、データ、メッセージ通信、放送等などの様々な通信サービスを提供するために幅広く展開されている。通常複数のアクセスネットワークであるそのようなネットワークは、利用可能なネットワークリソースを共有することによって複数のユーザの通信をサポートする。そのようなネットワークの一例は、UMTS地上無線アクセスネットワーク(UTRAN: UMTS Terrestrial Radio Access Network)である。UTRANは、第3世代パートナーシッププロジェクト(3GPP: 3rd Generation Partnership Project)によってサポートされた第3世代(3G)モバイル電話技術であるユニバーサルモバイルテレコミュニケーションシステム(UMTS: Universal Mobile Telecommunications System)の一部として定義された無線アクセスネットワーク(RAN: Radio Access Network)である。グローバルシステムフォーモバイルコミュニケーションズ(GSM(登録商標))技術の承継であるUMTSは、広帯域符号分割多元接続(W-CDMA)、時分割符号分割多元接続(TD-CDMA)、および時分割同期符号分割多元接続(TD-SCDMA)などの様々なエアインターフェース規格を現在サポートしている。UMTSは、関連するUMTSネットワークへのデータ転送の速度および容量を向上させる、高速パケットアクセス(HSPA: High Speed Packet Access)のような拡張型3Gデータ通信プロトコルもサポートする。
【０００４】
モバイル広帯域アクセスの需要が増大し続けているので、研究開発は、モバイル広帯域アクセスの高まる需要を満たすだけでなく、モバイル通信に関してのユーザの体験を前進および向上させるようにUMTS技術を前進させ続けている。
【発明の概要】
【課題を解決するための手段】
【０００５】
以下に、説明する技術の基本的理解を与えるために、本開示のいくつかの態様を要約する。この概要は、本開示の企図する全特徴の広い全体像ではなく、本開示の全態様の鍵となる要素または重要な要素を特定する意図も、本開示の任意または全部の態様の範囲を視覚的に示す意図もない。その唯一の目的は、後で提示するより詳細な説明の導入として、本開示の1つまたは複数の態様のいくつかの概念を要約の形で提示することである。
【０００６】
本開示の様々な例および実施態様は、ダウンリンク同期およびアップリンク同期が達成される前の、閉ループ送信ダイバーシティ通信における信号対妨害比推定を容易にする。本開示の1つまたは複数の態様によれば、UEは、処理回路に結合された通信インターフェースを含み得る。処理回路は、伝送を、通信インターフェースを介して受信するように適合され得、伝送は、送信ダイバーシティを使用して送信される。処理回路は、さらに、受信された伝送に対する複数の信号対妨害比の推定値を計算するように適合され得、各信号対妨害比の推定値は、相異なる重み係数を使用して計算される。複数の信号対妨害比の推定値の中から、処理回路は、受信された伝送に対して採用されるべき信号対妨害比の推定値を選択するように適合され得る。
【０００７】
本開示の1つまたは複数のさらなる態様は、そのような方法を実施するための手段を含む、1つおよび/または複数のUE上で動作可能な方法を提供する。1つまたは複数の例によれば、そのような方法は、送信ダイバーシティを使用して送信された伝送を受信することを含み得る。受信された伝送に対する複数の信号対妨害比の推定値は、計算され得、ここで、各信号対妨害比の推定値は、相異なる重み係数を使用して計算される。信号対妨害比の推定値は、受信された伝送に対する信号対妨害比の推定値として採用されるために、複数の信号対妨害比の推定値の中から選択され得る。
【０００８】
本開示のまたさらなる態様は、処理回路によって実行可能なプログラミングを含む、プロセッサ可読媒体を提供する。1つまたは複数の例によれば、そのようなプログラミングは、処理回路に、送信ダイバーシティを使用して送信された伝送を取得させ、受信された伝送に対する複数の信号対妨害比の推定値を計算させるように適合され得、ここで、各信号対妨害比の推定値は、相異なる重み係数を使用して計算される。プログラミングは、さらに、処理回路に、複数の信号対妨害比の推定値の中から、受信された伝送に対する信号対妨害比の推定値として採用されるべき信号対妨害比の推定値を選択させるように適合され得る。
【０００９】
本開示の1つまたは複数のさらなる態様によれば、UEは、処理回路に結合された通信インターフェースを含み得、ここで、処理回路は、送信ダイバーシティを使用して送信された伝送を、通信インターフェースを介して受信するように適合され得る。処理回路は、さらに、受信された伝送に対する信号対妨害比の推定値を、重み係数を採用することなく計算し、通信インターフェースを介して、フィードバック情報を、計算された信号対妨害比の推定値に基づいて送信するように適合され得る。
【００１０】
本開示の1つまたは複数のさらなる態様は、そのような方法を実施するための手段を含む、1つおよび/または複数のUE上で動作可能な方法を提供する。1つまたは複数の例によれば、そのような方法は、送信ダイバーシティを使用して送信された伝送を受信することと、受信された伝送に対する信号対妨害比の推定値を、重み係数を採用することなく計算することとを、含み得る。フィードバック情報は、計算された信号対妨害比の推定値に基づいて送信され得る。
【００１１】
本開示のまたさらなる態様は、処理回路によって実行可能なプログラミングを含む、プロセッサ可読媒体を提供する。1つまたは複数の例によれば、そのようなプログラミングは、処理回路に、送信ダイバーシティを使用して送信された伝送を取得させ、受信された伝送に対する信号対妨害比の推定値を、重み係数を採用することなく計算させるように適合され得る。プログラミングは、さらに、処理回路に、フィードバック情報を、計算された信号対妨害比の推定値に基づいて送信させるように適合され得る。
【００１２】
本開示に関連する他の態様、特徴、および実施形態は、添付の図面とともに以下の説明を検討すれば、当業者には明らかになろう。
【図面の簡単な説明】
【００１３】
【図１】本開示の1つまたは複数の態様が適用例を見つけ得るネットワーク環境の概念図である。
【図２】少なくとも1つの例による、図1のワイヤレス通信システムの選択構成要素を示すブロック図である。
【図３】少なくとも1つの例による、ユーザ機器(UE)の選択構成要素を示すブロック図である。
【図４】複数の相異なる重み係数を使用して信号対妨害比(SIR)の推定値を取得するための例を示す、概念的なフロー図である。
【図５】少なくとも1つの例による、UE上で動作可能な方法を示すフロー図である。
【図６】重み係数を使用しないで信号対妨害比(SIR)の推定値を取得するための例を示す、概念的なフロー図である。
【図７】少なくとも1つの例による、UE上で動作可能な別の方法を示すフロー図である。
【発明を実施するための形態】
【００１４】
添付の図面に関連して下記に記載される説明は、様々な構成の説明として意図されており、本明細書に記載される概念および特徴が実践され得る唯一の構成を表すように意図されていない。以下の説明は、様々な概念の完全な理解をもたらす目的で、具体的な詳細を含んでいる。しかしながら、これらの概念がこれらの特定の詳細がなくても実施することができることは当業者に明らかであろう。場合によっては、説明する概念および特徴を曖昧にするのを回避する目的で、周知の回路、構造、技法および構成要素をブロック図の形式で示す。
【００１５】
本開示全体を通じて示される様々な概念は、広範な電気通信システム、ネットワーク構造、および通信規格にわたって実施され得る。本開示のいくつかの態様を、UMTSおよび第3世代パートナーシッププロジェクト(3GPP)のプロトコルおよびシステムに関して以下で説明し、以下の説明の大部分において関係する用語が見つけられ得る。ただし、本開示の1つまたは複数の態様が、広範な電気通信システム、ネットワーク構造、および通信規格にわたって採用され、その中に含まれ得ることを当業者なら認識されよう。
【００１６】
次に図1を参照すると、本開示の1つまたは複数の態様が適用例を見つけ得るネットワーク環境のブロック図が示されている。ワイヤレス通信システム100は、1つまたは複数の基地局102とユーザ機器(UE)104との間のワイヤレス通信を容易にするように適合される。基地局102とUE104とは、ワイヤレス信号を通して互いに対話するように適合され得る。いくつかの事例では、そのようなワイヤレス対話は、複数のキャリア(異なる周波数の波形信号)上で行われ得る。各被変調信号は、制御情報(たとえば、パイロット信号)、オーバーヘッド情報、データなどを搬送し得る。
【００１７】
基地局102は、基地局アンテナを介してUE104とワイヤレスに通信することができる。基地局102は、それぞれ、一般に、ワイヤレス通信システム100への(1つまたは複数のUE104のための)ワイヤレス接続性を容易にするように適合されたデバイスとして実装され得る。そのような基地局102はまた、当業者によって、送受信基地局(BTS)、無線基地局、無線トランシーバ、トランシーバ機能、基本サービスセット(BSS)、拡張サービスセット(ESS)、ノードB、フェムトセル、ピコセル、または何らかの他の好適な用語で呼ばれることがある。
【００１８】
基地局102は、基地局コントローラの制御の下でUE104と通信するように構成される(図2参照)。基地局102のサイトの各々は、それぞれの地理的エリアに通信カバレージを提供することができる。ここでは、各基地局102のカバレージエリア106は、セル106A、106B、または106Cと識別される。基地局102のためのカバレージエリア106は、(図示しないが、カバレージエリアの一部分のみを構成する)セクタに分割され得る。様々な例では、システム100は、異なるタイプの基地局102を含み得る。
【００１９】
1つまたは複数のUE104は、カバレージエリア106全体にわたって分散し得る。各UE104は、1つまたは複数の基地局102と通信し得る。UE104は、一般に、ワイヤレス信号を通して1つまたは複数の他のデバイスと通信する1つまたは複数のデバイスを含み得る。そのようなUE104はまた、当業者によって、アクセス端末、移動局(MS)、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、モバイル端末、ワイヤレス端末、遠隔端末、ハンドセット、端末、ユーザエージェント、モバイルクライアント、クライアント、または何らかの他の適切な用語で呼ばれることがある。UE104は、モバイル端末および/または少なくとも実質的に固定された端末を含み得る。UE104の例としては、モバイルフォン、ページャ、ワイヤレスモデム、携帯情報端末、個人情報マネージャ(PIM)、パーソナルメディアプレーヤ、パームトップコンピュータ、ラップトップコンピュータ、タブレットコンピュータ、テレビジョン、機器、電子リーダー、デジタルビデオレコーダ(DVR)、マシンツーマシン(M2M)デバイス、メーター、エンターテインメントデバイス、ルータ、および/あるいはワイヤレスまたはセルラーネットワークを少なくとも部分的に通して通信する他の通信/コンピューティングデバイスがある。
【００２０】
図2を参照すると、少なくとも1つの例による、ワイヤレス通信システム100の選択構成要素を示すブロック図が示されている。図示のように、基地局102は、UMTS地上無線アクセスネットワーク(UTRAN)202などの、無線アクセスネットワーク(RAN)の少なくとも一部として含まれる。UTRAN202は、一般に、1つまたは複数のUE104と、コアネットワーク204中に含まれるネットワークエンティティなど、1つまたは複数の他のネットワークエンティティとの間のトラフィックおよびシグナリングを管理するように適合される。無線アクセスネットワークは、様々な実装形態によれば、基地局サブシステム(BSS)、アクセスネットワーク、GSM(登録商標)エッジ無線アクセスネットワーク(GERAN)などとしても実現され得る。
【００２１】
1つまたは複数の基地局102に加えて、UTRAN202は、当業者によって基地局コントローラ(BSC)と呼ばれることもある無線ネットワークコントローラ(RNC)206を含むことができる。無線ネットワークコントローラ206は、一般に、無線ネットワークコントローラ206に接続された1つまたは複数の基地局102に関連する1つまたは複数のカバレージエリア内のワイヤレス接続の確立、解放、および維持を担当する。無線ネットワークコントローラ206は、コアネットワーク204の1つまたは複数のノードまたはエンティティに通信可能に結合され得る。
【００２２】
コアネットワーク204は、UTRAN202を介して接続されたUE104に様々なサービスを提供するワイヤレス通信システム100の一部分である。コアネットワーク204は、回線交換(CS)領域およびパケット交換(PS)領域を含み得る。回線交換エンティティのいくつかの例としては、MSC/VLR208として識別されるモバイル交換センター(MSC)およびビジターロケーションレジスタ(VLR)ならびにゲートウェイMSC(GMSC)210がある。パケット交換要素のいくつかの例としては、サービングGPRSサポートノード(SGSN)212およびゲートウェイGPRSサポートノード(GGSN)214がある。EIR、HLR、VLRおよび/またはAuCなど、他のネットワークエンティティが含まれ得、それらの一部または全部が、回線交換領域とパケット交換領域の両方によって共有され得る。UE104は、回線交換領域を介して公衆交換電話網(PSTN)216へのアクセスを取得し、パケット交換領域を介してIPネットワーク218へのアクセスを取得することができる。
【００２３】
基地局102がワイヤレス通信システム100内のUE104と通信するとき、閉ループ送信ダイバーシティ(CLTD)が、RF性能を改善するために使用され得る。閉ループ送信ダイバーシティ(CLTD)は、3GPP規格において文書TS25.214で定義され、一般に、送信機が信号を送信するために1本を超える送信アンテナ(通常は2本であり、ここで、2つめのアンテナはダイバーシティアンテナと呼ばれる)を採用することを必要とする。
【００２４】
送信機がダイバーシティアンテナに適用するための(位相調整に対応する)重み係数のような送信フォーマットを選ぶことの助けとなるために、受信機は、空間的なチャネルについての明示的なフィードバック情報を送信機に提供する。最初のフィードバック情報が送信機によって受信機から受信される前、送信機は、通常、ダイバーシティアンテナに対するデフォルトの初期重み係数を使用するように構成される。たとえば、3GPP規格文書TS25.214では、最初のフィードバック情報が受信される前、初期重みw2=1/2(1+j)がUTRAN202によって使用されるべきである。このことは、ダウンリンク(すなわち、UTRAN202からUE104へ)とアップリンク(すなわち、UE104からUTRAN202へ)との間で同期が確立される前、UE104とUTRAN202の両方が、同じデフォルト重み係数を使用すると予期されることを意味する。
【００２５】
場合によっては、デフォルト重み係数の使用が決定されて、ダウンリンクの信号対妨害比(SIR)の推定値へ問題を引き起こす。そのような問題の一例は、UTRAN202におけるプライマリ送信アンテナおよびダイバーシティ送信アンテナが、約135度の位相差を有するときである。位相差が約135度であると、デフォルト重み係数の適用は、その結果得られる位相差を約180度にさせる。プライマリ送信アンテナおよびダイバーシティ送信アンテナが同じ信号を送信する場合、180度の位相差は、信号消去という結果となり得る。そのような場合、伝送を受信しているUE104における信号対妨害比(SIR)の推定値が極めて小さい場合があり、UE104は、しばしば、3GPP規格文書TS25.214の第4節で規定される同期手順に失敗する。一般に、影響は、プライマリアンテナからの信号とダイバーシティアンテナからの信号との間の位相差が約90度から215度の間にあるとき、最も頻繁に観測される。
【００２６】
本開示の一態様によれば、UEは、ダウンリンク同期およびアップリンク同期の前に受信された伝送に対する信号対妨害比(SIR)の推定値を、複数の相異なる重み係数を使用して計算するように適合される。相異なる重みを使用して計算された複数の相異なるSIRの推定値の中から、UEは、送信機のダイバーシティ送信アンテナにおける重みマッピングで採用されるべきフィードバック情報の提供で使用される、計算された最大のSIRの推定値を与える重み係数を選択することができる。このようにして、UEは、デフォルトの初期重み係数の起こり得る非建設的な効果を回避することができる。
【００２７】
本開示のさらなる態様によれば、UEは、ダウンリンク同期およびアップリンク同期の前に受信された伝送に対する信号対妨害比(SIR)の推定値を、いかなる重み係数も使用することなく計算するように適合される。UEは、信号対妨害比(SIR)の推定値を、いかなる重み係数も使用することなく、単に各ブランチからの信号電力に基づいて計算することができる。このようにして、UEは、ダウンリンク送信電力制御(DLTPC)コマンドをアップリンク上で急速に送信することによって、より良い信号対妨害比(SIR)の推定値を迅速に獲得することができる。
【００２８】
図3を参照すると、本開示の少なくとも1つの例による、ユーザ機器300の選択構成要素を示すブロック図が示されている。UE300は、通信インターフェース304および記憶媒体306に結合されるか、または通信インターフェース304および記憶媒体306と電気的に通信するように配置された処理回路302を含む。
【００２９】
処理回路302は、データを取得、処理、および/または送信し、データのアクセスおよび記憶を制御し、コマンドを発行し、他の所望の動作を制御するように構成される。処理回路302は、適当な媒体によって提供される所望のプログラミングを実施するように適合された回路、および/または本開示の全体を通じて述べられる様々な機能を実施するように適合された回路を、含み得る。たとえば、処理回路302は、1つもしくは複数のプロセッサ、1つもしくは複数のコントローラ、および/または実行可能なプログラミングを実行するように構成されたその他の構造として実装され得る。処理回路302の例は、汎用プロセッサ、デジタル信号プロセッサ(DSP)、特定用途向け集積回路(ASIC)、フィールドプログラマブルゲートアレイ(FPGA)または他のプログラマブル論理構成要素、個別ゲートまたはトランジスタ論理、個別ハードウェア構成要素、あるいは本明細書で説明する機能を実施するように設計されたそれらの任意の組合せを含み得る。汎用プロセッサは、マイクロプロセッサ、および任意の通常のプロセッサ、コントローラ、マイクロコントローラ、またはステートマシンを含み得る。処理回路302はまた、DSPとマイクロプロセッサとの組合せ、いくつかのマイクロプロセッサ、DSPコアと連携する1つもしくは複数のマイクロプロセッサ、ASICとマイクロプロセッサ、または任意のその他のいくつかの様々な構成などのコンピューティング構成要素の組合せとして実装され得る。処理回路302のこれらの例は説明のためのものであり、本開示の範囲内の他の好適な構成も企図される。
【００３０】
処理回路302は、記憶媒体306に記憶され得るプログラミングの実行のために、適合され得る。本明細書で使用するように、「プログラミング」という用語は、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、関数などを、限定することなく含むように、広く解釈されるべきである。
【００３１】
場合によっては、処理回路302は、信号対妨害比(SIR)エスティメータ308を含み得る。SIRエスティメータ308は、送信ダイバーシティを使用して送信された、受信された信号に対して信号対妨害比(SIR)の推定値を計算し、フィードバック情報(たとえば、ダウンリンク送信電力制御(DLTPC)コマンド)を送信デバイスに提供するように適合された、回路および/またはプログラミング(たとえば、記憶媒体306に記憶されているプログラミング)を含み得る。
【００３２】
通信インターフェース304は、UE300のワイヤレス通信を容易にするように構成される。たとえば、通信インターフェース304は、1つまたは複数のワイヤレスネットワークデバイス(たとえば、ネットワークノード)に関して双方向に情報の通信を容易にするように適合された回路および/またはプログラミングを含み得る。通信インターフェース304は、1つまたは複数のアンテナ(図示せず)に結合され得る。
【００３３】
記憶媒体306は、プロセッサが実行可能なコードもしくは命令(たとえば、ソフトウェア、ファームウェア)などのプログラミング、電子的なデータ、データベース、またはその他のデジタル情報を記憶するための、1つまたは複数のプロセッサ可読デバイスを表し得る。記憶媒体306はまた、プログラミングを実行するときに処理回路302によって操作されるデータを記憶するために使用され得る。記憶媒体306は、可搬型または固定式記憶デバイスと、光記憶デバイスと、プログラミングを記憶する、含む、および/または運ぶことができる様々なその他の媒体とを含む、汎用または専用プロセッサによってアクセスされ得る任意の利用可能な媒体であり得る。限定ではなく例として、記憶媒体306は、磁気記憶デバイス(たとえば、ハードディスク、フロッピー(登録商標)ディスク、磁気ストライプ)、光記憶媒体(たとえば、コンパクトディスク(CD)、デジタルバーサタイルディスク(DVD))、スマートカード、フラッシュメモリデバイス(たとえば、カード、スティック、キードライブ)、ランダムアクセスメモリ(RAM)、読出し専用メモリ(ROM)、プログラマブルROM(PROM)、消去可能PROM(EPROM)、電気的消去可能PROM(EEPROM)、レジスタ、取外し可能なディスク、および/またはプログラミングを記憶するためのその他の媒体、ならびにそれらの任意の組合せなどのプロセッサ可読記憶媒体を含み得る。
【００３４】
記憶媒体306は、処理回路302がその記憶媒体306から情報を読み取り、その記憶媒体に情報を書き込むことができるように処理回路302に結合され得る。つまり、記憶媒体306は、記憶媒体306が処理回路302と一体である例、ならびに/または記憶媒体306が処理回路302と分かれている(たとえば、UE300内に存在する、UE300の外部にある、複数のエンティティに分散される)例を含め、記憶媒体306が少なくとも処理回路302によってアクセス可能であるように処理回路302に結合され得る。
【００３５】
記憶媒体306によって記憶されているプログラミングは、処理回路302によって実行されると、処理回路302に、本明細書で説明する様々な機能および/または処理ステップのうちの1つまたは複数を実施させる。少なくともいくつかの例では、本明細書で説明するように、記憶媒体306は、処理回路302に、アップリンク同期およびダウンリンク同期の前に信号対妨害比(SIR)の推定値を計算させるように適合される、信号対妨害比(SIR)推定動作310を含み得る。したがって、本開示の1つまたは複数の態様によれば、処理回路302は、本明細書に記載のUE(たとえば、UE104、UE300)のいずれかまたはすべてのためのプロセス、機能、ステップおよび/またはルーチンのうちのいずれかまたはすべてを(記憶媒体306と連携して)実行するように適合される。処理回路302に関係して本明細書で使用する「適合される」という用語は、処理回路302が、(記憶媒体306と連携して)本明細書に記載する様々な特徴による特定のプロセス、機能、ステップおよび/またはルーチンを実行するように構成されること、使用されること、実装されること、および/またはプログラムされることのうちの1つまたは複数を行うことを指し得る。
【００３６】
動作において、UE300は、ダウンリンク同期およびアップリンク同期の前に受信された伝送に対する複数の信号対妨害比(SIR)の推定値を、複数の相異なる重みを使用して計算し得る。図4は、複数の重み係数を使用して信号対妨害比(SIR)の推定値を取得するための例を示す、概念的なフロー図である。ネットワークノード402(たとえば、図2におけるUTRAN202の基地局102)は、最初に、ダウンリンク伝送404をユーザ機器(UE)300へ、閉ループ送信ダイバーシティ(CLTD)のための複数の送信アンテナを使用して送信し得る。たとえば、ダウンリンク伝送404は、専用物理チャネル(DPCH)上で、プライマリ送信アンテナおよびダイバーシティ送信アンテナを使用して送信され得る。少なくとも1つの例では、伝送404は、専用のパイロット伝送を備え得るが、専用物理チャネル(DPCH)の任意の部分が採用されてもよい。
【００３７】
ダウンリンク伝送404は、適用されるべき重み係数の決定で使用されるフィードバック情報が、ネットワークノード402によってUE300から受信される前に送信される。したがって、ネットワークノード402は、デフォルトの初期重み係数を、1つまたは複数のダイバーシティアンテナでの送信に適用することができる。1つの例によれば、ネットワークノード402は、w2=1/2(1+j)のデフォルトの初期重み係数(たとえば、45度の初期重み係数)を、ダイバーシティアンテナに適用することができる。
【００３８】
UE300は、伝送404を受信し、複数の信号対妨害比(SIR)の推定値406を計算し、ここで、各信号対妨害比(SIR)の推定値は、相異なるそれぞれの重み係数に基づく。少なくとも1つの例では、UE300は、45度、135度、-45度、-135度の、4つの異なる重み係数を使用し得る。
【００３９】
複数の信号対妨害比(SIR)の推定値に基づいて、UE300は、どの計算が最大信号対妨害比(SIR)の推定値を与えるかを、408において決定することができる。UE300は、次いで、フィードバック情報410をネットワーク402へ、最大の信号対妨害比(SIR)の推定値に基づいて送信することができる。
【００４０】
図5は、UE300などのUE上で動作可能な方法の少なくとも1つの例を示すフロー図である。図3および図5を参照すると、502において、UE300は、送信ダイバーシティを使用して送信された伝送を受信することができる。たとえば、処理回路302は、通信インターフェース304を介してダウンリンク伝送を受信し得る。ダウンリンク伝送は、送信ダイバーシティを容易にするために、複数の異なる送信アンテナによって送信された信号を含み得る。たとえば、ダウンリンク伝送は、プライマリ送信アンテナによって送信された第1の信号、およびダイバーシティ送信アンテナによって送信された第2の信号を、含み得る。ダウンリンク伝送は、送信ダイバーシティのためのデフォルトの初期重み係数を使用して送信され得る。ダウンリンク伝送は、ダウンリンク同期およびアップリンク同期がUE300と送信デバイスとの間で生じる前に、送信され得る。
【００４１】
504において、UE300は、複数の信号対妨害比(SIR)の推定値を計算することができ、ここで、各信号対妨害比(SIR)の推定値は、相異なる重み係数を使用して計算される。たとえば、信号対妨害比(SIR)推定動作310を実行する処理回路302(たとえば、信号対妨害比(SIR)エスティメータ308)は、複数の信号対妨害比(SIR)の推定値を、各計算に対して異なる重み係数を使用して計算し得る。信号対妨害比(SIR)の推定値は、少なくとも1つの例では、45度、135度、負の45(-45)度、および負の135(-135)度を含む、重み係数のグループの中から選択された重み係数を使用して計算され得る。少なくとも1つの例では、信号対妨害比(SIR)推定動作310を実行する処理回路302(たとえば、信号対妨害比(SIR)エスティメータ308)は、45度の重み係数を使用して第1の信号対妨害比(SIR)の推定値を、135度の重み係数を使用して第2の信号対妨害比(SIR)の推定値を、負の45(-45)度の重み係数を使用して第3の信号対妨害比(SIR)の推定値を、かつ負の135(-135)度の重み係数を使用して第4の信号対妨害比(SIR)の推定値を、計算し得る。
【００４２】
506において、UE300は、受信された伝送に対する信号対妨害比(SIR)の推定値として採用されるべき信号対妨害比(SIR)の推定値を、選択することができる。たとえば、信号対妨害比(SIR)推定動作310を実行する処理回路302(たとえば、信号対妨害比(SIR)エスティメータ308)は、複数の計算された信号対妨害比(SIR)の推定値の中から、受信された伝送に対して使用されるべき信号対妨害比(SIR)の推定値を選択し得る。少なくとも1つの例では、信号対妨害比(SIR)推定動作310を実行する処理回路302(たとえば、信号対妨害比(SIR)エスティメータ308)は、複数の信号対妨害比(SIR)の推定値のすべてを比較し得、最大の値を有する信号対妨害比(SIR)の推定値を特定し得る。最大の値を有するその信号対妨害比(SIR)の推定値は、次いで、受信された伝送に対する信号対妨害比(SIR)の推定値として使用されるために選択され得る。少なくとも1つの例では、信号対妨害比(SIR)推定動作310を実行する処理回路302(たとえば、信号対妨害比(SIR)エスティメータ308)は、フィードバック情報を、選択された信号対妨害比(SIR)の推定値に基づいて送信し得る。
【００４３】
前述の動作は、UE300によって、アップリンク同期およびダウンリンク同期(たとえば、3GPP規格文書TS25.214の第4節に記載されるような)が確立される前に受信された伝送のために、採用され得る。508において、アップリンク同期およびダウンリンク同期が確立された後、UE300は、計算された重み係数に基づいて信号対妨害比(SIR)の推定値を計算するための、3GPP規格文書TS25.214に記載されるものなどの従来の手段を採用することができる。
【００４４】
本開示の他の例では、UE300は、ダウンリンク同期およびアップリンク同期の前に受信された伝送に対する信号対妨害比(SIR)の推定値を、ダイバーシティ信号のためのいかなる重み係数も使用することなく計算し得る。図6は、重み係数を使用しないで信号対妨害比(SIR)の推定値を取得するための例を示す、概念的なフロー図である。ネットワークノード602(たとえば、図2におけるUTRAN202の基地局102)は、最初に、ダウンリンク伝送604をユーザ機器(UE)300へ、閉ループ送信ダイバーシティ(CLTD)のための複数の送信アンテナを使用して送信し得る。たとえば、ダウンリンク伝送604は、専用物理チャネル(DPCH)上で、プライマリ送信アンテナおよびダイバーシティ送信アンテナを使用して送信され得る。少なくとも1つの例では、伝送604は、専用のパイロット伝送を備え得るが、専用物理チャネル(DPCH)の任意の部分が採用されてもよい。
【００４５】
ダウンリンク伝送604は、1つまたは複数のダイバーシティアンテナに適用されるべき重み係数の決定で使用されるフィードバック情報が、ネットワークノード602によってUE300から受信される前に送信される。したがって、ネットワークノード602は、デフォルトの初期重み係数を、1つまたは複数のダイバーシティアンテナでの送信に適用することができる。1つの例によれば、ネットワークノード602は、w2=1/2(1+j)のデフォルトの初期重み係数(たとえば、45度の初期重み係数)を、ダイバーシティアンテナに適用することができる。
【００４６】
UE300は、伝送604を受信し、信号対妨害比(SIR)の推定値を計算する606。この例では、信号対妨害比(SIR)の推定値は、いかなる重み係数の使用も伴わずに計算される。すなわち、信号対妨害比(SIR)の推定値は、いかなる重み係数も使用することなく、各ブランチからの信号電力を合成することによって計算され得る。UE300は、次いで、フィードバック情報をネットワーク602へ、いかなる重み係数も採用することなく計算された信号対妨害比(SIR)の推定値に基づいて送信することができる608。
【００４７】
図7は、UE300などのUE上で動作可能な方法の別の例を示すフロー図である。図3および図7を参照すると、702において、UE300は、送信ダイバーシティを使用して送信された伝送を受信することができる。たとえば、処理回路302は、通信インターフェース304を介してダウンリンク伝送を受信し得る。ダウンリンク伝送は、送信ダイバーシティを容易にするために、複数の異なる送信アンテナによって送信された信号を含み得る。たとえば、ダウンリンク伝送は、プライマリ送信アンテナによって送信された第1の信号、およびダイバーシティ送信アンテナによって送信された第2の信号を、含み得る。ダウンリンク伝送は、送信ダイバーシティのためのデフォルトの初期重み係数を使用して送信され得る。ダウンリンク伝送は、ダウンリンク同期およびアップリンク同期がUE300と送信デバイスとの間で生じる前に、送信され得る。
【００４８】
704において、UE300は、受信された伝送に対する信号対妨害比(SIR)の推定値を、いかなる重み係数も採用することなく計算することができる。たとえば、信号対妨害比(SIR)推定動作310を実行する処理回路302(たとえば、信号対妨害比(SIR)エスティメータ308)は、信号対妨害比(SIR)の推定値を、いかなる重み係数も使用することなく、受信された伝送の各ブランチからの信号電力に基づいて計算することができる。すなわち、デフォルトの初期重み係数、または他の重み係数を採用する代わりに、信号対妨害比(SIR)推定動作310を実行する処理回路302(たとえば、信号対妨害比(SIR)エスティメータ308)は、いかなる重み情報も使用することなく、プライマリ送信アンテナおよびダイバーシティ送信アンテナからの信号電力を単に合成することができる。
【００４９】
706において、UE300は、フィードバック情報を、いかなる重み係数も伴わずに計算された信号対妨害比(SIR)の推定値に基づいて、送信することができる。たとえば、信号対妨害比(SIR)推定動作310を実行する処理回路302(たとえば、信号対妨害比(SIR)エスティメータ308)は、フィードバックシグナリングメッセージを、いかなる重み係数も伴わずに計算された信号対妨害比(SIR)の推定値に基づいて、送信することができる。
【００５０】
前述の動作は、UE300によって、アップリンク同期およびダウンリンク同期(たとえば、3GPP規格文書TS25.214の第4節に記載されるような)が確立される前に受信された伝送のために、採用され得る。508において、アップリンク同期およびダウンリンク同期が確立された後、UE300は、計算された重み係数に基づいて信号対妨害比(SIR)の推定値を計算するための、3GPP規格文書TS25.214に記載されるものなどの従来の手段を採用することができる。
【００５１】
本明細書で説明される特徴のうちの1つまたは複数を実施することによって、UEは、デフォルトの初期重み係数が、送信ダイバーシティ信号の消去、ならびにアップリンク同期およびダウンリンク同期を完了できないことをもたらし得る事例を、回避することができる。
【００５２】
上記で説明した態様、構成、および実施形態について具体的な詳細で詳細に説明したが、図1、図2、図3、図4、図5、図6および/または図7に示す構成要素、ステップ、特徴および/または機能のうちの1つまたは複数は、単一の構成要素、ステップ、特徴または機能に再構成され、および/または組み合わせられ、あるいは、いくつかの構成要素、ステップ、または機能で具現化され得る。また、本開示から逸脱することなく追加の要素、構成要素、ステップ、および/または機能が追加されるか、または利用されないことがある。図1、図2、および/または図3に示す装置、デバイス、および/または構成要素は、図4、図5、図6および/または図7で説明した方法、特徴、パラメータ、および/またはステップのうちの1つまたは複数を実行または採用するように構成され得る。また、本明細書に記載した新規のアルゴリズムは、ソフトウェアに効率的に実装され得、および/またはハードウェアに組み込まれ得る。
【００５３】
本開示の特徴について、いくつかの実施形態および図面に関して説明したが、本開示のすべての実施形態は、本明細書で説明する有利な特徴のうちの1つまたは複数を含み得る。言い換えれば、1つまたは複数の実施形態について特定の有利な特徴を有するものとして説明したが、そのような特徴のうちの1つまたは複数も、本明細書で説明した様々な実施形態のいずれかに従って使用され得る。同様に、例示的な実施形態について、デバイス実施形態、システム実施形態、または方法実施形態として本明細書で説明したが、そのような例示的な実施形態を様々なデバイス、システム、および方法において実施され得ることを理解されたい。
【００５４】
また、少なくともいくつかの実装形態を、フローチャート、フロー図、構造図、またはブロック図として示されるプロセスとして説明したことに留意されたい。フローチャートは動作を逐次プロセスとして説明し得るが、動作の多くは並行してまたは同時に実行することができる。さらに、動作の順序は並び替えることができる。プロセスは、その動作が完了したときに終了される。プロセスは、メソッド、関数、プロシージャ、サブルーチン、サブプログラムなどに対応することができる。プロセスが関数に対応するときには、その終了は、呼び出す側の関数またはメイン関数への関数のリターンに対応する。本明細書で説明する様々な方法は、機械可読、コンピュータ可読、および/またはプロセッサ可読記憶媒体に記憶され、1つまたは複数のプロセッサ、機械、および/またはデバイスによって実行され得るプログラミング(たとえば命令および/またはデータ)によって、部分的にまたは完全に実装され得る。
【００５５】
さらに、本明細書で開示する実施形態に関して説明する様々な例示的な論理ブロック、モジュール、回路、およびアルゴリズムステップは、ハードウェア、ソフトウェア、ファームウェア、ミドルウェア、マイクロコード、またはそれらの任意の組合せとして実装され得ることを当業者は諒解されよう。この互換性を明確に説明するために、様々な説明的な構成要素、ブロック、モジュール、回路、およびステップが、全般にそれらの機能の観点で上述された。そのような機能性がハードウェアまたはソフトウェアのどちらとして実施されるのかは、特定の応用例とシステム全体に課せられる設計制約とに依存する。
【００５６】
本明細書で説明し、添付の図面に示す例に関連する様々な特徴は、本開示の範囲から逸脱することなく、異なる例および実装形態で実装され得る。したがって、いくつかの特定の構成および配置について説明し、添付の図面に示したが、説明する実施形態への様々な他の追加および変更ならびにそれからの削除が当業者にとって明らかであるので、そのような実施形態は、例に過ぎず、本開示の範囲を制限するものではない。したがって、本開示の範囲は、以下の特許請求の範囲の文言、および法的均等物によってのみ決定される。
【符号の説明】
【００５７】
100  ワイヤレス通信システム
102  基地局
104  ユーザ機器
106  カバレージエリア
202  UMTS地上無線アクセスネットワーク
204  コアネットワーク
206  無線ネットワークコントローラ
208  モバイル交換センター/ビジターロケーションレジスタ
210  ゲートウェイMSC
212  サービングGPRSサポートノード
214  ゲートウェイGPRSサポートノード
216  公衆交換電話網
218  IPネットワーク
300  ユーザ機器
302  処理回路
304  通信インターフェース
306  記憶媒体
308  SIRエスティメータ
310  SIR推定動作
402  ネットワークノード
602  ネットワークノード
【図１】
0006461119.tif 000002
【図２】
0006461119.tif 000003
【図３】
0006461119.tif 000004
【図４】
0006461119.tif 000005
【図５】
0006461119.tif 000006
【図６】
0006461119.tif 000007
【図７】
0006461119.tif 000008